(57)【要約】【課題】事故など緊急を要する事態が発生した時に、メッセージを適切な場所、適切なタイミングで配信することができる情報配信センタ、情報配信方法およびシステムを提供する。【解決手段】無線端末（１０）に情報を配信する情報配信システムにおいて、メッセージ配信センタ（２０）が、一の無線端末（１０ｓ）から、メッセージと少なくとも当該メッセージの緊急度および通知エリアを含む通知条件と、を受信すると（Ｓ３０）、一の無線端末に対応付けてメッセージおよび通知条件を登録し（Ｓ３１）、他の無線端末が通知条件の判定結果に基づいて情報配信センタから配信されたメッセージを表示あるいは再生する（Ｓ３２）。【選択図】図１
2017084152.tif 000002
【特許請求の範囲】
【請求項１】
無線端末に情報を配信する情報配信システムであって、
メッセージ配信センタが、一の無線端末から、メッセージと少なくとも当該メッセージの緊急度および通知エリアを含む通知条件と、を受信すると、前記一の無線端末に対応付けて前記メッセージおよび前記通知条件を登録し、
他の無線端末が、前記通知条件の判定結果に基づいて、前記情報配信センタから配信された前記メッセージを表示あるいは再生する、
ことを特徴とする情報配信システム。
【請求項２】
前記他の無線端末の位置が前記通知エリア内に入れば、前記緊急度に応じた順位で前記メッセージが表示あるいは再生される、ことを特徴とする請求項１に記載の情報配信システム。
【請求項３】
前記情報配信センタが前記通知条件の判定を実行し、前記通知条件を満たす場合、前記メッセージを前記他の無線端末へ配信する、ことを特徴とする請求項１または２に記載の情報配信システム。
【請求項４】
前記他の無線端末が、前記情報配信センタから事前に前記メッセージおよび前記通知条件を受信して格納し、前記通知条件を満たすと判定した場合、前記メッセージを表示あるいは再生する、ことを特徴とする請求項１または２に記載の情報配信システム。
【請求項５】
前記通知条件の判定は、前記緊急度と、前記通知エリアと、メッセージを通知すべき対象となる無線端末およびメッセージの有効期間の少なくとも一つと、に関して実行されることを特徴とする請求項１−４のいずれか１項に記載の情報配信システム。
【請求項６】
無線端末に情報を配信する情報配信方法であって、
情報配信センタが、一の無線端末から、メッセージと少なくとも当該メッセージの緊急度および通知エリアを含む通知条件と、を受信すると、前記一の無線端末に対応付けて前記メッセージおよび前記通知条件を登録し、
他の無線端末が、前記通知条件の判定結果に基づいて、前記情報配信センタから配信された前記メッセージを表示あるいは再生する、
ことを特徴とする情報配信方法。
【請求項７】
無線端末に情報を配信する情報配信センタであって、
一の無線端末から、メッセージと、少なくともメッセージの緊急性および通知エリアを示す通知条件と、を受信して登録する登録手段と、
前記通知条件を満たす無線端末に対して前記メッセージを配信する制御手段と、
を有することを特徴とする情報配信センタ。
【請求項８】
情報配信センタから情報を受信する無線端末であって、
情報配信センタから、一の無線端末が発信したメッセージと少なくとも当該メッセージの緊急度および通知エリアを含む通知条件とを受信し、前記一の無線端末に対応付けて前記メッセージおよび前記通知条件を登録する登録手段と、
前記通知条件を満たしたか否かを判定する判定手段と、
前記判定結果に基づいて前記登録手段に登録された前記メッセージを表示あるいは再生する制御手段と、
を有することを特徴とする無線端末。
【請求項９】
複数の無線端末のなかの一の無線端末が他の無線端末へ情報を配信する情報配信システムであって、
前記一の無線端末が、第一無線端末から、メッセージと少なくとも当該メッセージの緊急度および通知エリアを含む通知条件と、を受信すると、前記第一無線端末に対応付けて前記メッセージおよび前記通知条件を登録し、
前記他の無線端末が、前記通知条件の判定結果に基づいて、前記一の無線端末から配信された前記メッセージを表示あるいは再生する、
ことを特徴とする情報配信システム。
【請求項１０】
無線端末に情報を配信する情報配信センタとしてコンピュータを機能させるプログラムであって、
登録手段が一の無線端末から、メッセージと、少なくともメッセージの緊急性および通知エリアを示す通知条件と、を受信して登録し、
制御手段が前記通知条件を満たす無線端末に対して前記メッセージを配信する、
ように前記コンピュータを機能させることを特徴とするプログラム。
【発明の詳細な説明】
【技術分野】
【０００１】
本発明は災害、事故など緊急を要する事態が発生した時の情報伝達システムに係り、特に情報配信センタ、その情報配信方法およびシステムに関する。
【背景技術】
【０００２】
災害発生時の消防車両の出動では、複数の消防車両が異なるルートを通って目的地に向かう場合があり、互いに連携するための消防無線は不可欠である。たとえば、あるルートで土砂崩れなど道路状況の突発的変化があると、当該消防車両の運転者が消防無線を用いて他の消防車両に道路状況を通知することで、事前回避など適切な行動をとることができる。
【０００３】
道路状況の変化は、消防車両ではない一般車両にも伝達された方が良い。道路状況の変化以外にも、消防車両が通行するルート上にいる車両には緊急車両が通行することを伝達することで、消防車両の目的地までの走行の効率を上げることにつながる。たとえば、特許文献１には、特殊車両の現在位置を一般車両へ送信することで、一般車両の適切な対応を可能にするシステムが開示されている。また、特許文献２には、消防車両からの特定の周波数帯域を使用して、一般車両へメッセージを配信する方法が開示されている。
【０００４】
また、一般車両であっても、ゲリラ豪雨や土砂崩れなど道路状況が突発的に変化した場合、警察や消防指令センタに通報するだけでなく、道路状況等を後続する車両に伝達することが重要である。緊急時ではないが、このような一般の利用者が、モバイル通信システムを利用して、特定のエリア内に移動して来た他の利用者に対してメッセージを配信する情報通知システムは、たとえば特許文献３に開示されている。
【先行技術文献】
【特許文献】
【０００５】
【特許文献１】特開平１１−０１４３８８号公報
【特許文献２】特開平  ９−００７０９６号公報
【特許文献３】特開２００５−７２８２７号公報
【発明の概要】
【発明が解決しようとする課題】
【０００６】
しかしながら、上述したような緊急車両が出動する状況では、通常、緊急車両と一般車両とが混在する状態であり、全ての車両が同じ情報を必要とするわけではない。たとえば、ある道路で発生した道路状況の変化は、別の道路を走行している車両には不要である。複数の消防車両が災害地点に向かっている場合は、互いに情報を共有することが重要であるが、消防無線による伝達ではメッセージ送信者が送信したタイミングで情報が伝達されるため、受信者、特に一般車両の受信者にとっては、メッセージが届くタイミングおよび場所が適切でない可能性がある。また、状況によっては、災害発生地点や救急事案発生地点などが判別できる情報を一般車両の運転者に伝達しない方がよい場合もあり得る。
【０００７】
上述した特許文献１あるいは２に開示されたシステムでは、消防車両から発する電波を受信できる範囲にいる一般車両全てにメッセージが配信され、配信される必要ない車両にも配信される可能性がある。また、配信されるタイミングと場所は消防車両が発信したタイミングとなるため適切でない可能性がある。
【０００８】
また上記特許文献３に開示されたシステムは、携帯端末を有する一般の利用者のみを想定したものであるために、緊急車両と一般車両とが混在した状況では、緊急を要する情報だけを特定の車両に最優先で配信することができない。
【０００９】
そこで、本発明の目的は、事故など緊急を要する事態が発生した時に、メッセージを適切な場所、適切なタイミングで配信することができる情報配信センタ、情報配信方法およびシステムを提供することにある。
【課題を解決するための手段】
【００１０】
本発明による情報配信システムは、無線端末に情報を配信する情報配信システムであって、メッセージ配信センタが、一の無線端末から、メッセージと少なくとも当該メッセージの緊急度および通知エリアを含む通知条件と、を受信すると、前記一の無線端末に対応付けて前記メッセージおよび前記通知条件を登録し、他の無線端末が、前記通知条件の判定結果に基づいて、前記情報配信センタから配信された前記メッセージを表示あるいは再生する、ことを特徴とする。
本発明による情報配信方法は、無線端末に情報を配信する情報配信方法であって、情報配信センタが、一の無線端末から、メッセージと少なくとも当該メッセージの緊急度および通知エリアを含む通知条件と、を受信すると、前記一の無線端末に対応付けて前記メッセージおよび前記通知条件を登録し、他の無線端末が、前記通知条件の判定結果に基づいて、前記情報配信センタから配信された前記メッセージを表示あるいは再生する、ことを特徴とする。
本発明による情報配信センタは、無線端末に情報を配信する情報配信センタであって、一の無線端末から、メッセージと、少なくともメッセージの緊急性および通知エリアを示す通知条件と、を受信して登録する登録手段と、前記通知条件を満たす無線端末に対して前記メッセージを配信する制御手段と、を有することを特徴とする。
本発明による無線端末は、情報配信センタから情報を受信する無線端末であって、情報配信センタから、一の無線端末が発信したメッセージと少なくとも当該メッセージの緊急度および通知エリアを含む通知条件とを受信し、前記一の無線端末に対応付けて前記メッセージおよび前記通知条件を登録する登録手段と、前記通知条件を満たしたか否かを判定する判定手段と、前記判定結果に基づいて前記登録手段に登録された前記メッセージを表示あるいは再生する制御手段と、を有することを特徴とする。
本発明による情報配信システムは、複数の無線端末のなかの一の無線端末が他の無線端末へ情報を配信する情報配信システムであって、前記一の無線端末が、第一無線端末から、メッセージと少なくとも当該メッセージの緊急度および通知エリアを含む通知条件と、を受信すると、前記第一無線端末に対応付けて前記メッセージおよび前記通知条件を登録し、前記他の無線端末が、前記通知条件の判定結果に基づいて、前記一の無線端末から配信された前記メッセージを表示あるいは再生する、ことを特徴とする。
【発明の効果】
【００１１】
本発明によれば、事故など緊急を要する事態が発生した時に、メッセージを適切な場所、適切なタイミングで配信することができる。
【図面の簡単な説明】
【００１２】
【図１】図１は本発明の第１実施形態によるメッセージ配信システムの概略的構成図である。
【図２】図２は第１実施形態によるメッセージ配信システムに記憶されるメッセージおよび通知条件のデータ構成を示す模式図である。
【図３】図３は本発明の第２実施形態によるメッセージ配信方法を示すシーケンス図である。
【図４】図４は本発明の第３実施形態によるメッセージ配信方法を示すシーケンス図である。
【図５】図５は本発明の第４実施形態によるメッセージ配信システムの概略的構成図である。
【図６】図６は図５に示すメッセージ配信システムの車載端末の構成を示すブロック図である。
【図７】図７は図５に示すメッセージ配信システムの消防指令センタの構成を示すブロック図である。
【図８】図８は図５に示すメッセージ配信システムに記憶されるメッセージおよび通知条件のデータ構成の一例を示す模式図である。
【図９】図９は本発明の第５実施形態によるメッセージ配信システムの概略的構成図である。
【図１０】図１０は図９に示すメッセージ配信システムの車載端末の構成を示すブロック図である。
【発明を実施するための形態】
【００１３】
＜実施形態の概要＞
本発明の実施形態によれば、複数の無線端末に情報を配信することができる情報配信センタは、ある無線端末から受信したメッセージとその通知条件とを登録し、当該通知条件に含まれる少なくともメッセージの緊急度および通知エリアに基づいて、メッセージ配信を実行する。緊急性を示す情報には優先順位が付与されてもよい。通知条件には、さらに通知対象、通知時間などの通知限定情報が含まれてもよい。
【００１４】
このように情報配信センタに、メッセージとともに、メッセージを通知すべきエリア情報およびメッセージの緊急性を示す情報を登録することにより、緊急度に応じて、適切な位置および適切なタイミングでメッセージの共有が可能となる。以下、本発明の一実施形態および実施例について図面を参照しながら詳細に説明する。
【００１５】
１．第１実施形態
１．１）構成
図１に例示するように、本発明の第１実施形態によるメッセージ配信システムは、複数の無線端末１０と、これらの無線端末と無線通信ネットワークを介して通信可能なメッセージ配信センタ２０とを有し、メッセージ配信センタ２０には後述するメッセージ記憶部２１が設けられている。
【００１６】
無線端末１０は、無線通信機能、自身の位置情報を取得もしくは推定する位置検出機能、ユーザインタフェース等を有する情報端末であり、メッセージ配信センタ２０へのメッセージ登録およびメッセージ配信センタ２０からのメッセージ受信を行うことができる。無線端末１０は、たとえば移動通信ネットワークのユーザが携帯する端末であってもよい。また、無線端末１０が車載端末であれば、一般車両、警察車両、消防車両を問わない。無線通信機能のアクセス方式としては、Ｗ−ＣＤＭＡ（Wideband Code Division Multiple Access）、ＶＩＣＳ（Vehicle Information and Communication System；登録商標）情報、公衆のＷｉＦｉ（Wireless Fidelity）などの無線ＬＡＮ（Local Area Network）等があるが、本実施形態では通信方法を限定しない。位置検出機能は、例えばＧＰＳ（Global Positioning System）を利用できるが、自動車のカーナビゲーションシステムのように、ＧＰＳ情報と加速度センサ、ジャイロセンサ等の情報を用いて自車両の位置を推定してもよい。無線端末１０は自端末の位置情報をメッセージ配信センタ２０へ通知してもよい。
【００１７】
メッセージ配信センタ２０は、移動通信ネットワークと接続して無線端末１０との間で情報の送受信が可能である。メッセージ配信センタ２０は、各無線端末１０の位置情報を無線端末１０から直接取得してもよいし、移動通信ネットワークから取得してもよい。図１に示すように、ある無線端末１０ｓがメッセージに通知条件を付加して送信すると、メッセージ配信センタ２０は受信したメッセージおよび通知条件をメッセージ記憶部２１に登録する。
【００１８】
１．２）通知条件
図２に例示するように、メッセージ記憶部２１には、各無線端末が送信した通知条件とメッセージとが登録される。通知条件には、当該メッセージの緊急性を示す情報（緊急事案）と通知エリアとが少なくとも含まれる。緊急事案としては、災害あるいは事故発生時の緊急情報、救急情報などの報知であり、それ以外の事案としては通常の交通情報、お知らせ等の報知である。なお、通知条件には、さらに通知対象となる端末を特定する情報、メッセージの有効期限、送信時間等の時間情報などを含めることもできる。
【００１９】
通知エリアは、たとえば緯度および経度により特定される地理的な通知範囲である。通知エリアは、登録する無線端末の現在地を含むエリアでもよいし、無線端末に地図を表示させて指定した地点を含むものでもよい。通知エリアを特定することで、受信者が通知エリアに入ることによりメッセージを通知することができ、適切な場所でメッセージを伝達することが可能となる。また、複数のユーザに対して、同一メッセージを各ユーザにとって適切な位置で通知することが可能となる。
【００２０】
通知対象は、メッセージ配信センタ２０側で予めグループを登録してもよいし、ユーザ側でグループを形成して登録してもよい。有効期限は、ユーザが適宜設定することもできるし、システム側で設定することもできる。
【００２１】
メッセージはテキスト情報でも音声情報でもよい。メッセージとしては、たとえば通知エリア情報を含むメッセージ、音声入力による録音音声メッセージ、緊急時の定型文書を送信するボタンを押すことによって送信する定義済のデータまたはテキストメッセージ、あるいは音声認識によるテキスト、カメラによる撮像画像あるいは動画、保存している画像あるいは動画などが挙げられる。
【００２２】
図２において、たとえば無線端末Ａは、事案Ｘが緊急性を有し、通知エリアがｂｂ、通知対象が事案Ｘのグループの端末、有効期限が全対象通知完了まで、という通知条件を指定したものとする。この場合、メッセージ配信センタ２０は、この通知条件に従って、事案Ｘのグループに属する無線端末であって通知エリアｂｂに位置するものに対して、緊急のメッセージＭ２を配信する。
【００２３】
また、本実施形態によれば、緊急性を有する事案のメッセージは優先的に配信される。たとえば、システム側から通知エリアｂｂあるいはｃｃに位置する全端末に対してメッセージＳ２が配信されている状態で、無線端末Ｃが、緊急性を有する事案Ｙについて、通知エリアｃｃに位置する一般車両の車載端末に対してメッセージＭ３を配信するという通知条件を指定したものとする。この場合、通知エリアｃｃが重なっていても、通知エリアｃｃに位置する一般車両の車載端末に対しては、緊急のメッセージＭ３が優先的に配信される。なお、緊急性を有するメッセージの通知エリアおよび通知時間が複数重なった場合には、緊急度の優先順位（たとえば、事案Ｘが事案Ｙより優先する。）に従って順次配信することができる。
【００２４】
１．３）動作
図１に示すように、ある無線端末１０ｓがメッセージに通知条件を付加してメッセージ配信センタ２０へ送信すると（動作Ｓ３０）、メッセージ配信センタ２０は受信したメッセージおよび通知条件をメッセージ記憶部２１に登録し（動作Ｓ３１）、上述したように、通知条件に従って無線端末に対して当該メッセージを配信する（動作３２）。たとえば、緊急性のあるメッセージであれば優先的に配信される。したがって、無線端末１０ｓが指定した通知条件に従って、適切な位置にある無線端末に対して適切なタイミングでメッセージを配信することができる。
【００２５】
配信タイミングとしては、メッセージ配信センタ２０が通知エリアに入ってきた通信対象の無線端末に対して配信してよいし、通知条件とメッセージを無線端末に事前に配信しておき、端末側で通知条件を判定してユーザにメッセージを表示もしくは再生してもよい。
【００２６】
１．４）効果
上述したように、本実施形態によれば、ユーザの無線端末が通知エリアに入ることによりメッセージを受信することができ、適切な場所でメッセージを伝達することが可能となる。また、複数のユーザに対して、同一メッセージを各ユーザにとって適切な位置で通知することが可能となる。また、受信するユーザの無線端末に通知エリア情報を伝達する必要がないために、たとえば災害発生地点、救急事案発生地点が一般ユーザに伝わることはない。
【００２７】
２．第２実施形態
本発明の第２実施形態によれば、無線端末が自身の位置情報を定期的にメッセージ配信センタへ通知し、メッセージ配信センタがメッセージを配信すべきか否かを判定する。なお、第２実施形態によるメッセージ配信システムは、図１に例示するシステム構成と同じであるから、以下、同じ参照番号を用いて説明する。
【００２８】
図３に示すように、ある無線端末１０ｓがメッセージに上述した通知条件（緊急度、通知エリア等の情報）を付加してメッセージ配信センタ２０へ送信すると（動作Ｓ４０）、メッセージ配信センタ２０は、図２に示すように、受信したメッセージおよび通知条件をメッセージ記憶部２１に登録する（動作Ｓ４１）。
【００２９】
上記メッセージ登録とは独立に、メッセージ配信センタ２０は、各無線端末１０の位置情報（ＧＰＳ情報など）を定期的に取得し、各無線端末が通知条件に合致するか否かを判定する（動作Ｓ４２）。より詳しくは、無線端末１０が通知エリア内に入ったか否か、通知対象に含まれるか否か、有効期限内であるか否か、および／または緊急事案であるか否か等の通知条件判定を行う。
【００３０】
無線端末１０が通知エリア内に入り、ある通知条件を満たした場合、メッセージ配信センタ２０は、当該通知条件に対応するメッセージをメッセージ記憶部２１から読み出し、通知条件を満たした無線端末に対して送信する（動作Ｓ４３）。上述したように、緊急性のあるメッセージであれば優先的に配信される。
【００３１】
メッセージを受信した無線端末はユーザインタフェースを通して受信メッセージを表示／再生する（動作Ｓ４４）。たとえば、テキストあるいは画像情報でればモニタに表示し、映像情報であればモニタおよびスピーカで再生し、音声情報であればスピーカで再生する。したがって、本実施形態によれば、第１実施形態と同様の効果を得ることができる。
【００３２】
３．第３実施形態
本発明の第３実施形態によれば、登録された通知条件およびメッセージが、無線端末に事前に配信され、端末側で通知条件を判定してユーザにメッセージを表示もしくは再生する。本実施形態のように、メッセージ配信センタからメッセージおよび通知条件をある程度の範囲に位置する複数の車載端末に配信しておき、無線端末側で通知条件に従ってメッセージ表示／再生を判定する方法は、多数の一般車両の走行方向がばらついている場合に適している。なお、第３実施形態によるメッセージ配信システムは、図１に例示するシステム構成と同じであるから、以下、同じ参照番号を用いて説明する。
【００３３】
図４に示すように、メッセージ登録動作（動作Ｓ４０、Ｓ４１）は、第２実施形態と同様であるから、説明は省略する。
【００３４】
上記メッセージが登録されると、メッセージ配信センタ２０は、未だ通知条件を満たしていない他の無線端末１０に対して、メッセージおよび通知条件の情報を事前に送信する（動作Ｓ５０）。たとえば、メッセージ送信元の無線端末１０ｓが通信している基地局に隣接する基地局の無線エリアに位置する無線端末、通知エリアの近隣に位置する無線端末等に対して、メッセージおよび通知条件の事前配信を行う。この配信が行われた時点では、通知条件を満たしていないものとする。
【００３５】
無線端末１０は、メッセージ配信センタ２０からメッセージおよび通知条件を受信し保存すると、自局の位置情報を用いて通知条件判定を行う（動作Ｓ５１）。より詳しくは、無線端末１０が通知エリア内に入ったか否か、通知対象に含まれるか否か、有効期限内であるか否か、および／または緊急事案であるか否か等の通知条件判定を行う。
【００３６】
通知エリア内に入り通知条件を満たした場合、無線端末１０は、当該通知条件に対応するメッセージを読み出し、ユーザインタフェースを通して受信メッセージを表示／再生する（動作Ｓ５２）。上述したように、緊急性のあるメッセージであれば優先的に読み出され表示／再生される。
【００３７】
上述したように、本実施形態によれば、第１実施形態と同様の効果を得ることができる上に、無線端末側で通知条件判定を行うので、メッセージ配信センタ２０の負荷が軽減される。
【００３８】
４．第４実施形態
以下、本発明の第４実施形態について、消防指令システムを例示して説明する。
４．１）構成
図５に示すように、本実施形態によるメッセージ配信システムは、消防指令センタ２００と複数の車載端末１００とが無線通信ネットワーク３００を通して通信可能に接続されており、消防指令センタ２００には後述するメッセージ記憶部２０１が設けられている。通常、消防局には複数の自動車（消防車両など）が所属しており、消防指令センタ２００は、各消防局の自動車の車載端末とそれぞれ通信を行うことで自動車のグループを管理する。車載端末１００は、自動車に搭載されているＧＰＳ、加速度センサ、ジャイロセンサなどにより自車両の位置を取得もしくは推測する機能を有する。なお、車載端末１００には地図データを利用できる端末と利用できない端末とがある。
【００３９】
図６に示すように、車載端末１００は、ボタンやタッチパネル、マウス、キーボード等の入力部１０１、消防指令センタ２００との通信を行うために必要な無線通信を行う無線通信部１０２、マイク等のオーディオ入力部１０３、スピーカ等のオーディオ出力部１０４、プログラム制御により動作する制御部１０５、ディスプレイ等の表示部１０６、データ記憶部１０７、および、自車両位置を取得もしくは推定する位置取得部１０８を含む。本実施形態における複数の自動車の車載端末１００は同じ構成を有し、各車載端末１００は自局の位置情報を定期的に消防指令センタ２００へ送信するものとする。
【００４０】
また、車載端末１００の記憶部１０７には地図データが格納されてもよい。地図データは、記憶部１０７に予め保存されていてもよいし、消防指令センタ１００から配信されてもよい。以下、記憶部１０７に格納された地図データを表示部１０６に表示可能であるものとし、表示部１０６に表示された地図に対して、ユーザは入力部１０１を通して操作可能であるものとする。
【００４１】
図７に示すように、消防指令センタ２００は、緯度・経度等の位置情報を含むメッセージを格納するメッセージ記憶部２０１、自動車との通信を行う通信部２０２、プログラム制御により動作する制御部２０３、地図データ等を格納する記憶部２０４、マウスやキーボード等の入力部２０５、および、ディスプレイ等の表示部２０６を含む。
【００４２】
図８に示すように、メッセージ記憶部２０１には、メッセージを発信した自動車、発信内容の事案、メッセージの通知エリア、通知対象、メッセージ有効期間、および、メッセージ内容が対応付けられて保存される。図８に示す例では、メッセージ記憶部２０１のエントリＮｏ．１に、事案１に関して、車両２が通知エリアに入ると「ここで左に曲がってください。」というメッセージが表示あるいは再生されるデータが登録されている。このエントリデータに対しては、通常の交通情報と考えれば、高い緊急度は設定されない。これに対して、エントリＮｏ．５に、事案１に関して、通知エリアに入る全ての一般車両に対して、「間もなくここを緊急車両が通行します。」というメッセージが表示あるいは再生されるデータが登録されている。このエントリデータは緊急を要すると考えられるので、通常の交通情報より高い緊急度が設定されうる。
【００４３】
本実施形態ではメッセージ内容の保存形式は問わない。たとえば、音声データを車載端末のオーディオ出力部１０４から再生してもよし、テキストデータを制御部１０５において音声合成してオーディオ出力部１０４から再生してもよい。メッセージは音声で出力する必要はなく、テキストを車載端末の表示部１０６に表示するか、画像メッセージを表示するようにしてもよい。
【００４４】
４．２）動作
以下、図５を参照しながら、本実施形態におけるメッセージ登録およびメッセージ配信の各動作について説明する。
【００４５】
まず、車載端末１００ｓが災害エリアにあって、必要なメッセージを消防指令センタ２００へ登録するものとする。車載端末１００ｓは、位置取得部１０８により取得した自車両の位置情報から通知エリアを特定し、緊急事案のメッセージに含めて消防指令センタ２００へ送信する（動作Ｓ６０）。通知エリアは、表示部１０６に表示された地図画面をタッチ等の操作を行うことで選択してもよいし、特定の一点に限らず、特定の線状の道、特定のエリアなどを通知エリアとして送信することもできる。
【００４６】
消防指令センタ２００は、通信部２０２を通して車載端末１００からメッセージ等の情報をメッセージ記憶部２０１に登録し（動作Ｓ６１）、緊急度および通知エリアに基づいて配信の可否を判定し、通知エリア内の車載端末に対してメッセージを配信する（動作Ｓ６２）。図８に例示するように、メッセージを登録するとき、受信した位置情報に基づいて通知エリアを選択し、登録地点（受信した位置情報）にどの程度近づいたら通知するかを制御することができる。また、通知する対象グループおよび対象車両を制限してもよい。また、メッセージが通知される期間を制限してもよい。通知エリア、通知対象グループ、通知対象、メッセージ有効期間は登録時に選択するが、選択しない場合は、予め決めておいた設定になるものとする。これらの設定は、消防指令センタ２００の入力部２０５を通して制御部２０３により変更可能とする。
【００４７】
例えば、車載端末１００において、ユーザがタッチパネル等の入力部１０１を操作し、オーディオ入力部１０３から音声メッセージを入力し、位置取得部１０８から取得した自車両位置情報を用いて半径１０ｍ以内を通知エリアとして設定した場合、このメッセージの音声データと通知エリアとが消防指令センタ２００へ送信され、メッセージ記憶部２０１に登録される。この場合、当該通知エリアに入った他の車載端末に対して、消防指令センタ２００の制御部２０３はメッセージ記憶部２０１から対応するメッセージを読み出し、通信部２０２を通して当該他の車載端末へ配信する。
【００４８】
本実施形態では、各車載端末１００が自車両位置を消防指令センタ２００に定期的に通知しているので、消防指令センタ２００の制御部２０３は、通知対象の自動車の位置が通知エリア内に入ったことを確認することができる。したがって、メッセージの配信タイミングは、対象の車載端末が通知エリアに入った時点となり、このタイミングで制御部２０３は自動的にメッセージを当該車載端末へ配信し、当該車載端末で再生することが可能となる。例えば、図８に示す通りにメッセージが登録されている場合、制御部２０３は、当該他の車載端末が緯度１・経度１で示す地点から１０メートル以内の地点に近づくと、当該車載端末に対してメッセージ「ここで左に曲がってください。」が送信され、車載端末１００のオーディオ出力部１０４により音声出力される。なお、第３実施形態で述べたように、車載端末側で条件判定を行うこともできる。
【００４９】
別のメッセージ出力方法としては、消防指令センタ２００がメッセージの登録地点を車載端末に配信しておき、車載端末の表示部１０６に地図と共にメッセージ登録地点を表示し、表示された登録地点をタッチパネル等で選択することでメッセージが再生されるという方法もある。この方法は、地図データを有する車載端末もしくは消防指令センタ２００から配信される地図を表示する機能を有する車載端末であることが前提であるが、メッセージ登録地点に行かなくても、登録地点に関する情報を得ることが可能となる。この方法では、消防指令センタ２００が車載端末１００に配信するメッセージ登録地点は、通知対象となる車載端末にだけ表示されるようにしてもよい。また、タッチパネル等で地図の登録地点以外をタッチしても再生されないようにしてもよい。
【００５０】
５．第５実施形態
本発明は、上述した第１〜第４実施形態のようにメッセージ配信センタ２０あるいは消防指令センタ２００が存在するシステムに限定されるものではない。本発明の第５実施形態によれば、センタが存在せず、無線端末同士の通信により端末間で通知エリアを含むメッセージを送受信することが可能である。この場合、通知エリアを含むメッセージの保存および他の端末が通知エリアに入っているか否かの判定は端末において実行される。
【００５１】
端末間の通信は、Ｗ−ＣＤＭＡ等の一般的な携帯電話による通信、無線ＬＡＮによる通信等を利用した通信により実現可能である。以下、複数の無線端末がグループＧを形成している場合を一例として、本実施形態の構成および動作について説明する。
【００５２】
図９に示すように、本実施形態によるメッセージ配信システムは、複数の無線端末３００からなり、そのうちの任意の一つ（以下、無線端末３００ａｐと記す。）がアクセスポイントとしてグループＧを構成しているものとする。無線端末３００ａｐは、他の無線端末から定期的に位置情報等を受信し、グループＧ内のメンバの加入／離脱、地理的な位置関係等を管理する。本実施形態では、無線端末３００ａｐがメッセージ配信センタ２０あるいは消防指令センタ２００として動作するので、本実施形態における複数の無線端末３００の間に構成的な差異はなく、各無線端末３００はメッセージ記憶部３０１を有する。
【００５３】
基本的な動作は上述した実施形態と同様である。まず、グループＧ内のある無線端末３００ｓがメッセージに通知条件を付加して無線端末３００ａｐへ送信すると（動作Ｓ７０）、無線端末３００ａｐは受信したメッセージおよび通知条件を自端末のメッセージ記憶部３０１に登録する（動作Ｓ７１）。メッセージ送信元の無線端末３００ｓは、その後、グループＧを離脱してもよい。また、グループＧに新たな無線端末３００が加入することもできる。
【００５４】
無線端末３００ａｐは、たとえば第１実施形態で説明したように通知条件を満たすか否かを判定し、通知条件に従ってグループ内の無線端末に対してメッセージを配信する（動作７２）。たとえば、緊急性のあるメッセージであれば優先的に配信される。したがって、無線端末３００ｓが指定した通知条件に従って、適切な位置にある無線端末に対して適切なタイミングでメッセージを配信することができる。配信タイミングとしては、メッセージ配信センタ２０が通知エリアに入ってきた通信対象の無線端末に対して配信してよいし、通知条件とメッセージを無線端末に事前に配信しておき、端末側で通知条件を判定してユーザにメッセージを表示もしくは再生してもよい。
【００５５】
図１０に示すように、各無線端末３００には、メッセージ記憶部３０１の他に、他の無線端末との間で本実施形態による通信を行うための無線通信制御部３０２が設けられており、それ以外の構成は図６に示す車載端末１００と同じであるから、同一の参照番号を付して説明は省略する。
【００５６】
６．他の実施形態
本発明は、メッセージ配信センタ２０がクラウドセンタの場合にも適用可能である。すなわち、メッセージ配信システムは、ＧＰＳなどにより自身の位置を取得もしくは推定することができる情報端末とメッセージを管理するクラウドセンタとからなることもできる。
【００５７】
また、メッセージは音声でなくてもよく、例えば、カメラ機能が搭載された無線端末からなるシステムでは、カメラで撮影した画像もしくは映像が自動的に位置情報とともにクラウドセンタに登録され、他の情報端末が撮影場所周辺に入った時に自動的にダウンロードされて表示されてもよい。
【００５８】
その他、特定の時間に特定の場所にある情報端末向けに、登録されている音声や画像、映像等のメッセージを配信するというサービスも実現可能である。また、特定の時間に特定の場所にある情報端末向けに、特定の音声や画像、映像等のメッセージを配信するというサービスも実現可能となる。さらに特定の情報を所有していない端末に配信するサービスも実現可能となる。また、端末にメッセージの受信拒否機能を搭載して、特定の情報源により登録されたメッセージを受信しないように制御してもよい。
【００５９】
７．付記
上述した実施形態の一部あるいは全部は、以下の付記のようにも記載されうるが、これらに限定されるものではない。
（付記１）
無線端末に情報を配信する情報配信システムであって、
メッセージ配信センタが、一の無線端末から、メッセージと少なくとも当該メッセージの緊急度および通知エリアを含む通知条件と、を受信すると、前記一の無線端末に対応付けて前記メッセージおよび前記通知条件を登録し、
他の無線端末が、前記通知条件の判定結果に基づいて、前記情報配信センタから配信された前記メッセージを表示あるいは再生する、
ことを特徴とする情報配信システム。
（付記２）
前記他の無線端末の位置が前記通知エリア内に入れば、前記緊急度に応じた順位で前記メッセージが表示あるいは再生される、ことを特徴とする付記１に記載の情報配信システム。
（付記３）
前記情報配信センタが前記通知条件の判定を実行し、前記通知条件を満たす場合、前記メッセージを前記他の無線端末へ配信する、ことを特徴とする付記１または２に記載の情報配信システム。
（付記４）
前記他の無線端末が、前記情報配信センタから事前に前記メッセージおよび前記通知条件を受信して格納し、前記通知条件を満たすと判定した場合、前記メッセージを表示あるいは再生する、ことを特徴とする付記１または２に記載の情報配信システム。
（付記５）
前記通知条件の判定は、前記緊急度と、前記通知エリアと、メッセージを通知すべき対象となる無線端末およびメッセージの有効期間の少なくとも一つと、に関して実行されることを特徴とする付記１−４のいずれか１項に記載の情報配信システム。
（付記６）
無線端末に情報を配信する情報配信方法であって、
情報配信センタが、一の無線端末から、メッセージと少なくとも当該メッセージの緊急度および通知エリアを含む通知条件と、を受信すると、前記一の無線端末に対応付けて前記メッセージおよび前記通知条件を登録し、
他の無線端末が、前記通知条件の判定結果に基づいて、前記情報配信センタから配信された前記メッセージを表示あるいは再生する、
ことを特徴とする情報配信方法。
（付記７）
前記他の無線端末の位置が前記通知エリア内に入れば、前記緊急度に応じた順位で前記メッセージが表示あるいは再生される、ことを特徴とする付記６に記載の情報配信方法。
（付記８）
前記情報配信センタが前記通知条件の判定を実行し、前記通知条件を満たす場合、前記メッセージを前記他の無線端末へ配信する、ことを特徴とする付記６または７に記載の情報配信方法。
（付記９）
前記他の無線端末が、前記情報配信センタから事前に前記メッセージおよび前記通知条件を受信して格納し、前記通知条件を満たすと判定した場合、前記メッセージを表示あるいは再生する、ことを特徴とする付記６または７に記載の情報配信方法。
（付記１０）
前記通知条件の判定は、前記緊急度と、前記通知エリアと、メッセージを通知すべき対象となる無線端末およびメッセージの有効期間の少なくとも一つと、に関して実行されることを特徴とする付記６−９のいずれか１項に記載の情報配信方法。
（付記１１）
無線端末に情報を配信する情報配信センタであって、
一の無線端末から、メッセージと、少なくともメッセージの緊急性および通知エリアを示す通知条件と、を受信して登録する登録手段と、
前記通知条件を満たす無線端末に対して前記メッセージを配信する制御手段と、
を有することを特徴とする情報配信センタ。
（付記１２）
前記制御手段が、前記無線端末の位置が前記通知エリア内に入れば、前記緊急度に応じた順位で前記メッセージを配信する、ことを特徴とする付記１１に記載の情報配信センタ。
（付記１３）
前記制御手段が、前記緊急度と、前記通知エリアと、メッセージを通知すべき対象となる無線端末およびメッセージの有効期間の少なくとも一つと、に関して、前記通知条件の判定を実行する、ことを特徴とする付記１１または１２に記載の情報配信センタ。
（付記１４）
情報配信センタから情報を受信する無線端末であって、
情報配信センタから、一の無線端末が発信したメッセージと少なくとも当該メッセージの緊急度および通知エリアを含む通知条件とを受信し、前記一の無線端末に対応付けて前記メッセージおよび前記通知条件を登録する登録手段と、
前記通知条件を満たしたか否かを判定する判定手段と、
前記判定結果に基づいて前記登録手段に登録された前記メッセージを表示あるいは再生する制御手段と、
を有することを特徴とする無線端末。
（付記１５）
前記判定手段が、当該無線端末の位置が前記通知エリア内にあると判定すれば、前記緊急度に応じた順位で前記メッセージを表示あるいは再生することを特徴とする付記１４に記載の無線端末。
（付記１６）
前記制御手段が、前記緊急度と、前記通知エリアと、メッセージの通知対象およびメッセージの有効期間の少なくとも一つと、に関して、前記通知条件の判定を実行する、ことを特徴とする付記１４または１５に記載の無線端末。
（付記１７）
無線端末に情報を配信する情報配信センタの情報配信方法であって、
登録手段が一の無線端末から、メッセージと、少なくともメッセージの緊急性および通知エリアを示す通知条件と、を受信して登録し、
制御手段が前記通知条件を満たす無線端末に対して前記メッセージを配信する、
ことを特徴とする情報配信方法。
（付記１８）
情報配信センタから情報を受信する無線端末の情報出力方法であって、
登録手段が、情報配信センタから一の無線端末が発信したメッセージと少なくとも当該メッセージの緊急度および通知エリアを含む通知条件とを受信し、前記一の無線端末に対応付けて前記メッセージおよび前記通知条件を登録し、
判定手段が、前記通知条件を満たしたか否かを判定し、
制御手段が、前記判定結果に基づいて前記登録手段に登録された前記メッセージを表示あるいは再生する、
ことを特徴とする情報出力方法。
（付記１９）
無線端末に情報を配信する情報配信センタとしてコンピュータを機能させるプログラムであって、
登録手段が一の無線端末から、メッセージと、少なくともメッセージの緊急性および通知エリアを示す通知条件と、を受信して登録し、
制御手段が前記通知条件を満たす無線端末に対して前記メッセージを配信する、
ように前記コンピュータを機能させることを特徴とするプログラム。
（付記２０）
情報配信センタから情報を受信する無線端末としてコンピュータを機能させるプログラムであって、
登録手段が、情報配信センタから一の無線端末が発信したメッセージと少なくとも当該メッセージの緊急度および通知エリアを含む通知条件とを受信し、前記一の無線端末に対応付けて前記メッセージおよび前記通知条件を登録し、
判定手段が、前記通知条件を満たしたか否かを判定し、
制御手段が、前記判定結果に基づいて前記登録手段に登録された前記メッセージを表示あるいは再生する、
ように前記コンピュータを機能させることを特徴とするプログラム。
（付記２１）
複数の無線端末のなかの一の無線端末が他の無線端末へ情報を配信する情報配信システムであって、
前記一の無線端末が、第一無線端末から、メッセージと少なくとも当該メッセージの緊急度および通知エリアを含む通知条件と、を受信すると、前記第一無線端末に対応付けて前記メッセージおよび前記通知条件を登録し、
前記他の無線端末が、前記通知条件の判定結果に基づいて、前記一の無線端末から配信された前記メッセージを表示あるいは再生する、
ことを特徴とする情報配信システム。
（付記２２）
前記他の無線端末の位置が前記通知エリア内に入れば、前記緊急度に応じた順位で前記メッセージが表示あるいは再生される、ことを特徴とする付記２１に記載の情報配信システム。
（付記２３）
前記一の無線端末が前記通知条件の判定を実行し、前記通知条件を満たす場合、前記メッセージを前記他の無線端末へ配信する、ことを特徴とする付記２１または２２に記載の情報配信システム。
（付記２４）
前記他の無線端末が、前記一の無線端末から事前に前記メッセージおよび前記通知条件を受信して格納し、前記通知条件を満たすと判定した場合、前記メッセージを表示あるいは再生する、ことを特徴とする付記１１または１２に記載の情報配信システム。
（付記２５）
前記通知条件の判定は、前記緊急度と、前記通知エリアと、メッセージを通知すべき対象となる無線端末およびメッセージの有効期間の少なくとも一つと、に関して実行されることを特徴とする付記２１−２４のいずれか１項に記載の情報配信システム。
（付記２６）
複数の無線端末のなかの一の無線端末が他の無線端末へ情報を配信する情報配信方法であって、
前記一の無線端末が、第一無線端末から、メッセージと少なくとも当該メッセージの緊急度および通知エリアを含む通知条件と、を受信すると、前記第一無線端末に対応付けて前記メッセージおよび前記通知条件を登録し、
前記他の無線端末が、前記通知条件の判定結果に基づいて、前記一の無線端末から配信された前記メッセージを表示あるいは再生する、
ことを特徴とする情報配信方法。
【産業上の利用可能性】
【００６０】
本発明は、緊急メッセージを配信する消防指令システム等に適用可能である。
【符号の説明】
【００６１】
１０、１０ｓ  無線端末
２０  メッセージ配信センタ
２１  メッセージ記憶部
１００、１００ｓ  車載端末
１０１  入力部
１０２  無線通信部
１０３  オーディオ入力部
１０４  オーディオ出力部
１０５  制御部
１０６  表示部
１０７  記憶部
１０８  位置取得部
２００  消防指令センタ
２０１  メッセージ記憶部
２０２  通信部
２０３  制御部
２０４  記憶部
２０５  入力部
２０６  表示部
【図１】
2017084152.tif 000003
【図２】
2017084152.tif 000004
【図３】
2017084152.tif 000005
【図４】
2017084152.tif 000006
【図５】
2017084152.tif 000007
【図６】
2017084152.tif 000008
【図７】
2017084152.tif 000009
【図８】
2017084152.tif 000010
【図９】
2017084152.tif 000011
【図１０】
2017084152.tif 000012